(57)【特許請求の範囲】
【請求項１】
シュレッダの細断性能を評価するに際し、
選定されたフォントサイズの文字で記録された被細断物を当該シュレッダの性能に応じた細断寸法に細断することで目視用の細断チップを作成し、
当該目視用の細断チップを文字のフォントサイズと共に性能評価表示物に表示することを特徴とするシュレッダの性能評価方法。
【請求項２】
請求項１に記載のシュレッダの性能評価方法において、
前記目視用の細断チップは、細断寸法に応じた実寸サイズの実寸細断チップ模型として作成され、これを表示対象とすることを特徴とするシュレッダの性能評価方法。
【請求項３】
請求項１に記載のシュレッダの性能評価方法において、
前記目視用の細断チップは、細断寸法に応じた実寸サイズの細断チップの縦横寸法を拡大した拡大細断チップ模型として作成され、
これを表示対象とすることを特徴とするシュレッダの性能評価方法。
【請求項４】
請求項３に記載のシュレッダの性能評価方法において、
前記目視用の細断チップは、前記複数の拡大細断チップ模型を予め決められた所定位置に配置するように組合せることで細断前の被細断物模型を復元可能とするものであり、
複数の拡大細断チップ模型を組合せ配置することで被細断物模型の文字情報の復元状態を目視可能とすることを特徴とするシュレッダの性能評価方法。
【請求項５】
シュレッダの細断性能を評価する性能評価表示物であって、
選定されたフォントサイズの文字で記録された被細断物を当該シュレッダの性能に応じた細断寸法に細断することで作成される目視用の細断チップと、
当該目視用の細断チップの文字のフォントサイズと、を関連付けて表示することを特徴とするシュレッダの性能評価表示物。
【請求項６】
請求項５に記載のシュレッダの性能評価表示物において、
前記目視用の細断チップは、複数のフォントサイズの文字が夫々記録された被細断物を細断することで複数種作成され、各目視用の細断チップが対応する文字のフォントサイズと共に表示されることを特徴とするシュレッダの性能評価表示物。
【請求項７】
請求項５に記載のシュレッダの性能評価表示物において、
前記目視用の細断チップを原寸で表示する原寸表示部と、拡大して表示する拡大表示部と、を有することを特徴とするシュレッダの性能評価表示物。
【請求項８】
請求項５に記載のシュレッダの性能評価表示物において、
前記目視用の細断チップは、当該細断チップ及びその周囲が少なくとも含まれる被細断物の細断前の一部領域と対比して表示されることを特徴とする性能評価表示物。
【請求項９】
請求項５に記載のシュレッダの性能評価表示物において、
前記目視用の細断チップは、同一のフォントサイズの文字が記録された被細断物を細断性能の異なる複数のシュレッダにて異なる細断寸法に細断することで複数種作成され、
複数種の目視用の細断チップが対比して表示されることを特徴とするシュレッダの性能評価表示物。
【請求項１０】
請求項５に記載のシュレッダの性能評価表示物において、
前記目視用の細断チップは、細断寸法又は細断レベルと共に表示されることを特徴とするシュレッダの性能評価表示物。
【請求項１１】
請求項５に記載のシュレッダの性能評価表示物において、
前記目視用の細断チップは、対応する細断性能のシュレッダと共に表示されることを特徴とするシュレッダの性能評価表示物。
【請求項１２】
請求項５に記載のシュレッダの性能評価表示物において、
前記目視用の細断チップは、細断寸法に応じた実寸サイズの細断チップの縦横寸法を拡大した拡大細断チップ模型として作成され、
複数の拡大細断チップ模型を予め決められた所定位置に配置するように組合せることで細断前の被細断物模型を復元可能とすることを特徴とするシュレッダの性能評価表示物。
【請求項１３】
請求項１２に記載のシュレッダの性能評価表示物において、
前記目視用の細断チップは、前記拡大細断チップ模型に加えて、細断寸法に応じた実寸サイズとして作成された実寸細断チップ模型をも含むことを特徴とするシュレッダの性能評価表示物。
【請求項１４】
装置筐体内に組み込まれて被細断物を細断する細断機構と、
前記装置筐体に装備されて前記細断機構による運転状態を表示する表示部と、を備え、
前記表示部は、請求項５に記載の性能評価表示物を表示可能とするものであることを特徴とするシュレッダ。
【発明の詳細な説明】
【技術分野】
【０００１】
本発明は、シュレッダの細断性能を評価するシュレッダの性能評価方法に係り、特に、ユーザがシュレッダの細断性能を直接的に目視可能としたシュレッダの性能評価方法及びこの方法で用いられる性能評価表示物並びにシュレッダに関する。
【背景技術】
【０００２】
従来におけるシュレッダとしては例えば特許文献１，２に記載のものが既に知られている。
特許文献１には、シュレッダー本体に紙葉の投入口を傾斜して形成し、この投入口から投入された紙葉を送りローラー及び案内板でシュレッダーローラーカッタまで導き、このシュレッダーローラーカッタの下方にキャビンを形成し、このキャビン内に箱型の収容容器を挿脱自在に設けると共に屑袋を収納し、シュレッダーローラーカッタで細断されて落下する細断屑を収容容器の屑袋に収容するようにしたシュレッダーが開示されている。
特許文献２には、シート状物が搬入される搬入経路と、この搬入経路に搬入されたシート状物を細断する細断装置と、を備え、細断装置は、搬入経路の途中に設けられ且つ搬入されたシート状物が当該シート状物の搬入方向に沿う方向及びこれに交差する二方向に対して細断可能な細断機構と、この細断機構を駆動する駆動装置と、この駆動装置で細断機構を駆動するときに細断機構によるシート状物の細断片サイズを可変設定するサイズ可変装置と、を備えるシュレッダが開示されている。
【先行技術文献】
【特許文献】
【０００３】
【特許文献１】特開平５−１９２６０２号公報（実施例，図１）
【特許文献２】特開２０１４−１７６８１３号公報（発明を実施するための形態，図１）
【発明の概要】
【発明が解決しようとする課題】
【０００４】
近年は、この種のシュレッダにて被細断物を細断しても、コンピュータの解析技術の進歩により、細断チップを集めると情報が読み取られるおそれがあるため、セキュリティレベルの高い極小細断が可能な細断性能のシュレッダのニーズが高くなってきている。
一方において、極小細断可能なシュレッダにあっては、最大細断枚数がまだ少ないため、大量の被細断物を細断する要請の企業にとっては、細断寸法が比較的大きくても、単位時間当たりの細断能力の高いシュレッダを要望するという面もある。
例えば特許文献２記載のシュレッダにあっては、標準モードと精細モードとに切替えることで、セキュリティレベルを重視した細断処理と、単位時間当たりの細断能力を重視した細断処理とを両立するという要請を満たすことができる。
そして、この種のシュレッダの細断性能を評価する手法としては、従前は、細断チップの細断寸法を例えばａ×ｂ（ｍｍ）のように表示したり、あるいは、既存のセキュリティレベルを表示したりするという手法が採用されていた。
ここでいう既存のセキュリティレベルとしては、例えばドイツの規格協会が制定したＤＩＮ規格（ＤＩＮ６６３９９／制定日２０１２年９月）がある。このＤＩＮ規格によれば、細断寸法に応じてセキュリティレベルが７段階あり、最もセキュリティレベルの高いのがレベル７（細断寸法：面積５．０ｍｍ２以下）とされている。
【０００５】
しかしながら、シュレッダの細断性能のうち特に細断寸法を評価するに際し、ユーザにとっては、細断チップが細かい、あるいは、粗いということは間接的にイメージできるものの、実際に細断された細断チップがどのような状態で細断されるかを直接的にイメージすることは難しい状況であった。
本発明は、シュレッダの細断性能をユーザが直接目視する形で評価可能とするシュレッダの性能評価方法及びその方法で用いられる性能評価表示物並びにシュレッダを提供することにある。
【課題を解決するための手段】
【０００６】
請求項１に係る発明は、シュレッダの細断性能を評価するに際し、選定されたフォントサイズの文字で記録された被細断物を当該シュレッダの性能に応じた細断寸法に細断することで目視用の細断チップを作成し、当該目視用の細断チップを文字のフォントサイズと共に性能評価表示物に表示することを特徴とするシュレッダの性能評価方法である。
請求項２に係る発明は、請求項１に係るシュレッダの性能評価方法において、前記目視用の細断チップは、細断寸法に応じた実寸サイズの実寸細断チップ模型として作成され、これを表示対象とすることを特徴とするシュレッダの性能評価方法である。
請求項３に係る発明は、請求項１に係るシュレッダの性能評価方法において、前記目視用の細断チップは、細断寸法に応じた実寸サイズの細断チップの縦横寸法を拡大した拡大細断チップ模型として作成され、これを表示対象とすることを特徴とするシュレッダの性能評価方法である。
請求項４に係る発明は、請求項３に係るシュレッダの性能評価方法において、前記目視用の細断チップは、前記複数の拡大細断チップ模型を予め決められた所定位置に配置するように組合せることで細断前の被細断物模型を復元可能とするものであり、複数の拡大細断チップ模型を組合せ配置することで被細断物模型の文字情報の復元状態を目視可能とすることを特徴とするシュレッダの性能評価方法である。
【０００７】
請求項５に係る発明は、シュレッダの細断性能を評価する性能評価表示物であって、選定されたフォントサイズの文字で記録された被細断物を当該シュレッダの性能に応じた細断寸法に細断することで作成される目視用の細断チップと、当該目視用の細断チップの文字のフォントサイズと、を関連付けて表示することを特徴とするシュレッダの性能評価表示物である。
請求項６に係る発明は、請求項５に係るシュレッダの性能評価表示物において、前記目視用の細断チップは、複数のフォントサイズの文字が夫々記録された被細断物を細断することで複数種作成され、各目視用の細断チップが対応する文字のフォントサイズと共に表示されることを特徴とするシュレッダの性能評価表示物である。
請求項７に係る発明は、請求項５に係るシュレッダの性能評価表示物において、前記目視用の細断チップを原寸で表示する原寸表示部と、拡大して表示する拡大表示部と、を有することを特徴とするシュレッダの性能評価表示物である。
請求項８に係る発明は、請求項５に係るシュレッダの性能評価表示物において、前記目視用の細断チップは、当該細断チップ及びその周囲が少なくとも含まれる被細断物の細断前の一部領域と対比して表示されることを特徴とする性能評価表示物である。
請求項９に係る発明は、請求項５に係るシュレッダの性能評価表示物において、前記目視用の細断チップは、同一のフォントサイズの文字が記録された被細断物を細断性能の異なる複数のシュレッダにて異なる細断寸法に細断することで複数種作成され、複数種の目視用の細断チップが対比して表示されることを特徴とするシュレッダの性能評価表示物である。
請求項１０に係る発明は、請求項５に係るシュレッダの性能評価表示物において、前記目視用の細断チップは、細断寸法又は細断レベルと共に表示されることを特徴とするシュレッダの性能評価表示物である。
請求項１１に係る発明は、請求項５に係るシュレッダの性能評価表示物において、前記目視用の細断チップは、対応する細断性能のシュレッダと共に表示されることを特徴とするシュレッダの性能評価表示物である。
請求項１２に係る発明は、請求項５に係るシュレッダの性能評価表示物において、前記目視用の細断チップは、細断寸法に応じた実寸サイズの細断チップの縦横寸法を拡大した拡大細断チップ模型として作成され、複数の拡大細断チップ模型を予め決められた所定位置に配置するように組合せることで細断前の被細断物模型を復元可能とすることを特徴とするシュレッダの性能評価表示物である。
請求項１３に係る発明は、請求項１２に係るシュレッダの性能評価表示物において、前記目視用の細断チップは、前記拡大細断チップ模型に加えて、細断寸法に応じた実寸サイズとして作成された実寸細断チップ模型をも含むことを特徴とするシュレッダの性能評価表示物である。
請求項１４に係る発明は、装置筐体内に組み込まれて被細断物を細断する細断機構と、前記装置筐体に装備されて前記細断機構による運転状態を表示する表示部と、を備え、前記表示部は、請求項５に係る性能評価表示物を表示可能とするものであることを特徴とするシュレッダである。
【発明の効果】
【０００８】
請求項１に係る発明によれば、シュレッダの細断性能をユーザが直接目視する形で評価することができる。
請求項２に係る発明によれば、実寸細断チップ模型をユーザが直接目視することで、シュレッダの細断性能を容易に評価することができる。
請求項３に係る発明によれば、拡大細断チップ模型をユーザが直接触れて目視することで、シュレッダの細断性能を体感して評価することができる。
請求項４に係る発明によれば、拡大細断チップ模型をユーザが直接触れて組合せ配置することで、シュレッダの細断性能を体感して評価することができる。
請求項５に係る発明によれば、シュレッダの細断性能をユーザが直接目視する形で評価可能な性能評価表示物を提供することができる。
請求項６に係る発明によれば、文字のフォントサイズが一律に決められた態様に比べて、文字のフォントサイズが異なる被細断物に対する細断チップの差異を表示することができる。
請求項７に係る発明によれば、細断チップの実際の細断状態を把握することに加えて、細断チップ内の文字の露呈状態をも細かく把握することができる。
請求項８に係る発明によれば、被細断物の細断前の状態と、細断チップの実際の細断状態とを対比して把握することができる。
請求項９に係る発明によれば、異なる細断寸法の細断チップにおける文字の露呈状態の差異を表示することができる。
請求項１０に係る発明によれば、シュレッダの細断性能の評価表示として、細断チップの実際の細断状態と、細断寸法又は細断レベルとを関連付けることができる。
請求項１１に係る発明によれば、シュレッダの細断性能の評価表示として、細断チップの実際の細断状態と、対応する細断性能のシュレッダとを関連付けることができる。
請求項１２に係る発明によれば、シュレッダの細断性能の評価表示として、ユーザが被細断物の復元性を体感することが可能なツールを提供することができる。
請求項１３に係る発明によれば、シュレッダの細断性能の評価表示として、ユーザが被細断物の復元性を実際の細断状態と対比しながら体感することができる。
請求項１４に係る発明によれば、シュレッダの表示部に表示された性能評価表示物を見ることで、シュレッダの細断性能を簡単に把握することができる。
【図面の簡単な説明】
【０００９】
【図１】（ａ）は本発明に係るシュレッダの性能評価方法の実施の形態の概要を示す説明図、（ｂ）は（ａ）に示すシュレッダの性能評価方法で用いられる性能評価表示物の概要を示す説明図である。
【図２】（ａ）は実施の形態１で用いられるシュレッダの概要を示す説明図、（ｂ）はシュレッダの細断機構の駆動系を示す説明図である。
【図３】実施の形態１で用いられるシュレッダの性能評価表示物を示す説明図である。
【図４】（ａ）〜（ｃ）は実施の形態１で用いられる目視用の細断チップの作成例を示す説明図である。
【図５】図５（ａ）は図３中の第１のイメージチップ表示欄の拡大説明図、（ｂ）は図３中の第２のイメージチップ表示欄の拡大説明図である。
【図６】（ａ）は図３中の第１のイメージチップ表示欄に更に追記する表示例を示す説明図、（ｂ）は図３中の第２のイメージチップ表示欄に更に追記する表示例を示す説明図である。
【図７】実施の形態２で用いられるシュレッダの概要を示す説明図である。
【図８】実施の形態２に係るシュレッダの細断制御処理を示すフローチャートである。
【図９】実施の形態２に係るシュレッダの細断動作例を示す説明図である。
【図１０】実施の形態２に係るシュレッダの細断モード表示例を示す説明図である。
【図１１】実施の形態３に係るシュレッダの性能評価表示物として用いられる実寸細断チップ模型の作成例を示す説明図である。
【図１２】実施の形態３に係るシュレッダの性能評価表示物として用いられる拡大細断チップ模型を作成するための被細断物模型の一例を示す説明図である。
【図１３】実施の形態３に係るシュレッダの性能評価表示物として用いられる拡大細断チップ模型の作成例を示す説明図である。
【図１４】（ａ)（ｂ）は実施の形態３で用いられる拡大細断チップ模型の使用例を示す説明図である。
【発明を実施するための形態】
【００１０】
◎実施の形態の概要
図１（ａ）は本発明に係るシュレッダの性能評価方法の実施の形態の概要を示す。
同図において、シュレッダの性能評価方法は、シュレッダの細断性能を評価するに際し、選定されたフォントサイズｍの文字３で記録された被細断物１を当該シュレッダの性能に応じた細断寸法に細断することで目視用の細断チップ２を作成し、当該目視用の細断チップ２を文字３のフォントサイズｍと共に性能評価表示物５（図１（ｂ）参照）に表示するものである。
【００１１】
本例において、シュレッダとしては、被細断物１を細断する細断機構、細断機構にて細断された細断チップを収容する収容容器などの細断に必要な機能部品を備えたものであれば適宜選定して差し支えない。
そして、本例は、ユーザがシュレッダを使用する際に、シュレッダの細断性能につき、細断された細断チップがどのようであるかを直接的にイメージすることが困難であったことに鑑み、「目視用の細断チップ２」を作成し、これを表示するというユーザ目線の着想に至ったものである。
ここで、選定されたフォントサイズｍの文字３が記録された被細断物１を細断対象としたのは、情報漏洩する主要因が文字３によって表示された内容であり、また、文字３の表示についてもビジネスにおいて使用頻度の高いフォントサイズｍ（例えば８〜１０ポイント）があることに基づく。
このように、本例では、ユーザは、「目視用の細断チップ２」と、細断された被細断物１で使用された「文字３のフォントサイズｍ」とを把握することで、実際に細断される細断チップを直接的に目視可能な疑似体験をすることが可能である。
【００１２】
また、この種のシュレッダの性能評価方法の代表的態様としては、「目視用の細断チップ２」は、細断寸法に応じた実寸サイズの実寸細断チップ模型として作成され、これを表示対象とするものが挙げられる。本例では、「目視用の細断チップ２」が実寸細断チップ模型として作成され、これを原寸で表示したり、あるいは、表示段階で拡大して表示する態様である。
また、他の代表的態様としては、「目視用の細断チップ２」は、細断寸法に応じた実寸サイズの細断チップの縦横寸法を拡大した拡大細断チップ模型として作成され、これを表示対象とするものが挙げられる。本例では、拡大細断チップ模型については、ユーザが直接触れて目視することができ、複数の拡大細断チップ模型を組合せ配置することが可能である。
特に、本例の好ましい態様としては、「目視用の細断チップ２」は、複数の拡大細断チップ模型を予め決められた所定位置に配置するように組合せることで細断前の被細断物模型を復元可能とするものであり、複数の拡大細断チップ模型を組合せ配置することで被細断物模型の文字情報の復元状態を目視可能とするようにすればよい。ここで、拡大細断チップ模型をジグソーパズルのように組合せ可能なサイズに拡大したものであれば、ユーザが直接触れて拡大細断チップ模型を組合せることで被細断物模型の復元が容易か否かを体験することができる。そして、被細断物模型の原文の文字情報が復元可能か否か、言い換えれば原文の情報が復元されて情報漏洩する懸念があるか否かを判断することが可能である。
【００１３】
また、シュレッダの性能評価方法では、図１（ｂ）に示すように、シュレッダの細断性能を評価する性能評価表示物５が用いられる。
この性能評価表示物５は、選定されたフォントサイズｍの文字３で記録された被細断物１を当該シュレッダの性能に応じた細断寸法に細断することで作成される目視用の細断チップ２と、当該目視用の細断チップ２の文字３のフォントサイズｍと、を関連付けて表示するものである。
このような技術的手段において、性能評価表示物５とは、シュレッダの細断性能を評価することが可能な表示物を広く含み、例えば目視用の細断チップを模型にした表示物は勿論、パンフレット、カタログ、表示器など、シュレッダの細断性能を評価した結果が表示されたものを含む。また、インターネット環境のＷｅｂ上で表示された電子パンフレット、電子カタログも性能評価表示物に含む。
そして、ユーザはこの種の性能評価表示物５を見ることで、ユーザの要望に合致した細断性能のシュレッダを選択することができる。
【００１４】
ここで、目視用の細断チップ２の代表的な表示例を挙げると以下のようである。
−表示例１−
目視用の細断チップ２は、複数のフォントサイズｍ（例えばｍ１，ｍ２）の文字３が夫々記録された被細断物１を細断することで複数種作成され、各目視用の細断チップ２が対応する文字３のフォントサイズｍ（ｍ１，ｍ２）と共に表示されるものである。
本例は、異なるフォントサイズｍ（ｍ１，ｍ２）の文字３が記録された被細断物１を細断した目視用の細断チップ２を備えているため、ユーザが使用する文字３のフォントサイズｍ（ｍ１，ｍ２）に近い目視用の細断チップ２を目視することで、文字３の露呈状態を直接的に把握することが可能である。このため、ユーザは「目視用の細断チップ２」を見て自分に合致した細断性能のシュレッダを選択することができる。
【００１５】
−表示例２−
本例は、目視用の細断チップ２を原寸で表示する原寸表示部と、拡大して表示する拡大表示部と、を有する態様である。
本例では、目視用の細断チップ２が原寸表示部にて原寸で表示され、また、拡大表示部で拡大して表示される。このため、細断チップ２の実際の細断状態を把握可能であるほか、拡大表示によって細断チップ２内の文字３の露呈状態をより細かく把握することが可能である。
−表示例３−
目視用の細断チップ２は、当該細断チップ２及びその周囲が少なくとも含まれる被細断物１の細断前の一部領域と対比して表示されるものである。
本例では、目視用の細断チップ２と、被細断物１の細断前の一部領域（細断チップ２及びその周囲を少なくとも含む領域）とが対比して表示されることから、細断チップ２が細断前の状態からどのように変化したかを把握することができる。
【００１６】
−表示例４−
目視用の細断チップ２は、同一のフォントサイズｍの文字３が記録された被細断物１を細断性能の異なる複数のシュレッダ（例えばＡ，Ｂ，Ｃ）にて異なる細断寸法に細断することで複数種（例えばＨａ，Ｈｂ，Ｈｃ）作成され、複数種の目視用の細断チップ２が対比して表示されるものである。
本例では、目視用の細断チップ２が異なる細断寸法で細断された複数種（例えばＨａ，Ｈｂ，Ｈｃ）あることから、異なる細断寸法による目視用の細断チップ２の細断状態を対比することができる。このため、ユーザは目視用の細断チップ２の細断状態を目視し、自分に合致した細断性能のシュレッダを直接的に選択することができる。
−表示例５−
目視用の細断チップ２は、細断寸法又は細断レベルと共に表示されるものである。
本例は、目視用の細断チップ２及び文字３のフォントサイズｍの表示に加えて、細断寸法又は細断レべル（例えばＤＩＮ規格のセキュリティレベル）を組合せたものである。このように、既存の表示形式との組合せも可能である。
−表示例６−
目視用の細断チップ２は、対応する細断性能のシュレッダ（例えばＡ，Ｂ，Ｃ）と共に表示されるものである。
本例は、対応する細断性能のシュレッダとの組合せ表示であり、ユーザとしては、目視用の細断チップ２を目視することで、対応する細断性能のシュレッダを直ちに見出すことができる。
【００１７】
−表示例７−
目視用の細断チップ２は、細断寸法に応じた実寸サイズの細断チップの縦横寸法を拡大した拡大細断チップ模型として作成され、複数の拡大細断チップ模型を予め決められた所定位置に配置するように組合せることで細断前の被細断物模型を復元可能とするものである。
本例は、拡大細断チップ模型をジグソーパズルのように組合せ、被細断物模型の復元性を体感するツールとして使用することができる。
また、目視用の細断チップ２としては、拡大細断チップ模型のみを含むものでも差し支えないが、実際の細断状態と対比する上では、拡大細断チップ模型に加えて、細断寸法に応じた実寸サイズとして作成された実寸細断チップ模型をも含む態様が好ましい。
【００１８】
更に、シュレッダに性能評価表示物５を適用した態様としては、図示外の装置筐体内に組み込まれて被細断物１を細断する細断機構（図示せず）と、装置筐体に装備されて細断機構による運転状態を表示する表示部（図示せず）と、を備え、表示部に性能評価表示物５を表示可能とするものが挙げられる。
本例では、シュレッダを選定するにあたって、表示部に表示された目視用の細断チップを目視することで、ユーザはシュレッダの細断性能を把握することができる。また、例えばシュレッダが複数の細断性能を選択する機種であれば、細断性能を選択するにあたって、表示部に表示された目視用の細断チップを目視するようにすれば、ユーザは細断性能を容易に選択することが可能である。
【００１９】
以下、添付図面に示す実施の形態に基づいて本発明を更に詳細に説明する。
◎実施の形態１
−シュレッダの要部構成−
図２は実施の形態１に係るシュレッダ２０の要部を示す。
同図において、シュレッダ２０は、略直方体形状のシュレッダ筐体２１を有し、このシュレッダ筐体２１の上面には被細断物としての用紙Ｓが投入される投入口２２を開設し、この投入口２２には一対のガイドシュートで区画された搬入経路２３を設け、この搬入経路２３の途中に細断機構２４を配設し、シュレッダ筐体２１内の細断機構２４の下方には用紙Ｓの細断チップＳａが収容される屑容器（図示せず）を出し入れ可能に配設したものである。
本例では、細断機構２４は、カッタ要素として対構成の刃付ドラム３１，３２が用いられるカットクロス方式を採用したもので、対構成の刃付ドラム３１，３２の噛み合い領域に用紙Ｓを挿通させることで、用紙Ｓの搬入方向に沿う方向（縦方向）及びこれに略直交する交差方向（横方向）について縦横同時に細断するようにしたものである。
尚、図２中、符号５０は細断機構２４を駆動する駆動装置、符号６０はシュレッダ２０を操作するための操作パネルである。
【００２０】
−駆動装置−
本実施の形態において、駆動装置５０は、図２（ａ）（ｂ）に示すように、駆動源としての駆動モータ５１と、この駆動モータ５１からの駆動力を細断機構２４対構成の刃付ドラム３１，３２に伝達する駆動伝達機構５９とを有している。
本例において、駆動伝達機構５９としては、例えば駆動モータ５１の駆動軸及び第１の刃付ドラム３１の回転軸に夫々プーリ５９ａ，５９ｂを固着すると共に、これらプーリ５９ａ，５９ｂ間に伝達ベルト５９ｃを掛け渡し、更に、各対構成の刃付ドラム３１，３２の回転軸には伝達ギア５９ｄ，５９ｅを互いに噛合させた状態で固着するようにしたものである。
【００２１】
−制御装置−
更に、本実施の形態では、図２（ａ）に示すように、細断機構２４を駆動する駆動装置５０は制御装置１００によって制御されるようになっている。
本例において、制御装置１００はＣＰＵ、ＲＡＭ、ＲＯＭ及び入出力ポートを含むマイクロコンピュータシステムからなり、操作パネル６０からの操作信号、搬入経路２３に用紙Ｓが搬入されたか否かを検出する位置センサ２８からの信号などを入出力ポートを介して受け取り、ＣＰＵ、ＲＡＭによってＲＯＭ内に予めインストールされている細断制御プログラムを実行し、入出力ポートを介して細断機構２４の駆動装置５０に対し所定の制御信号を送出するようになっている。
そして、駆動モータ５１には当該駆動モータ５１に供給される駆動電流を検出する電流検出器１２０が設けられている。
尚、本例では、操作パネル６０は、図２（ａ）に示すように、シュレッダ２０に電源を投入するためのスタートスイッチ６１（図中ＳＴと表記）と、用紙Ｓが搬入経路２３で紙詰まりした場合に用紙Ｓを逆転排出する排出モードや、細断機構２４に細断チップＳａが詰まった場合に清掃処理を実施する清掃モードなどを指定するときにオン操作するモード選択スイッチ６２（図中ＭＳと表記）と、シュレッダ２０の動作状態を表示する表示器６３と、を有している。また、位置センサ２８は用紙Ｓが通過したことを検出可能な構成であれば、機械的、光学式センサなど適宜選定して差し支えない。
【００２２】
−性能評価表示物−
図３は細断性能が異なる複数種（本例では三種）のシュレッダ２０（製品名：Ａ，Ｂ，Ｃ）の性能を評価した性能評価表示物としての製品パンフレット２００を示す。
同図において、パンフレット２００は、三種のシュレッダ２０（Ａ〜Ｃ）を表示する製品表示欄２０１と、各シュレッダ２０（Ａ，Ｂ，Ｃ）の最大細断枚数（枚）を表示する最大細断枚数表示欄２０２と、各シュレッダ２０（Ａ〜Ｃ）の細断寸法を表示する細断寸法表示欄２０３と、第１の目視用の細断チップ２１０を表示する第１のチップイメージ表示欄２０４と、第２の目視用の細断チップ２２０を表示する第２のチップイメージ表示欄２０５と、を含んでいる。
本例では、製品表示欄２０１には各シュレッダ２０（Ａ〜Ｃ）の写真及び製品名が表示されている。また、最大細断枚数表示欄２０２において、「最大細断枚数Ｎ」とは、シュレッダ筐体２１の投入口２２に同時に重ねて投入したときに細断可能な最大細断枚数を意味し、シュレッダ２０（Ａ〜Ｃ）毎にＮ１、Ｎ２、Ｎ３と表記される。ここでは、Ｎ１＜Ｎ２＜Ｎ３（例えばＮ１＝６、Ｎ２＝１０、Ｎ３＝２０）とする。更に、細断寸法表示欄２０３において、「細断寸法」は細断される矩形状の細断チップＳａの幅寸法をｗ（ｍｍ）、長さ寸法をｄ（ｍｍ）とするときに、ｗ×ｄ（ｍｍ）で表記される。ここでは、シュレッダ２０（Ａ）がｗ１×ｄ１（例えば０．７×３．５）、シュレッダ２０（Ｂ）がｗ２×ｄ２（例えば１×５）、シュレッダ２０（Ｃ）がｗ３×ｄ３（例えば１×９．６）とする。
更に、本例では、予め決められたセキュリティレベルＬも付加されている。ここでのセキュリティレベルＬはドイツの規格協会で規格されたＤＩＮ規格に従ったレベルＬ１〜Ｌ３（例えばＬ１＝７，Ｌ２＝７，Ｌ３＝６）である。
【００２３】
また、第１のチップイメージ表示欄２０４には第１の目視用の細断チップ２１０が表示されている。本例において、第１の目視用の細断チップ２１０は、図３及び図４（ａ）〜（ｃ）に示すように、所定のフォント種Ｆａ（例えばＭＳゴシック）でフォントサイズｍ１（例えばｍ１＝１０ポイント）の文字２３０（例えば「ＳＡＫＡＥ」）を印字した用紙Ｓを細断した時のチップイメージを作成したものである。
本例では、第１の目視用の細断チップ２１０は、シュレッダＡ〜Ｃ毎に異なる細断寸法の細断チップとして作成される。
ここで、第１の目視用の細断チップ２１０の作成法としては、実際に細断したチップを写真撮影して作成してもよいし、あるいは、コンピュータにより疑似細断処理を実行することで細断したチップを電子情報として作成する等適宜選定して差し支えない。
更に、第２のチップイメージ表示欄２０５には第２の目視用の細断チップ２２０が表示されている。本例において、第２の目視用の細断チップ２２０は、所定のフォント種Ｆａ（例えばＭＳゴシック）でフォントサイズｍ２（例えばｍ２＝８ポイント）の文字２３０を印字した用紙Ｓを細断した時のチップイメージを作成したものである。
本例では、第２の目視用の細断チップ２２０は、第１の目視用の細断チップ２１０と同様に、シュレッダＡ〜Ｃ毎に異なる細断寸法の細断チップとして作成される。
【００２４】
また、本例では、シュレッダＡ〜Ｃに対応した第１のチップイメージ表示欄２０４及び第２のチップイメージ表示欄２０５は、図３及び図５（ａ）（ｂ）に示すように、第１及び第２の目視用の細断チップ２１０，２２０を原寸で表示する原寸表示部２３１と、第１及び第２の目視用の細断チップ２１０，２２０を例えば３倍に拡大して表示する拡大表示部２３２とを有している。このため、ユーザは、原寸表示部２３１を見て実際の細断チップのイメージを把握することができ、拡大表示部２３２を見て第１の目視用の細断チップ２１０内の文字２３０の露呈状態を詳細に把握することができる。
このとき、ユーザは、第１、第２のチップイメージ表示欄２０４，２０５の各目視用の細断チップ２１０，２２０を見て、使用頻度の高いフォントサイズｍ（例えばｍ１）の文字２３０を印字した用紙Ｓに対する細断チップイメージを把握することで、ユーザの要望するシュレッダの細断性能を直感的に捉えることが可能である。
【００２５】
−チップイメージ表示欄の変形形態−
本実施の形態では、第１及び第２のチップイメージ表示欄２０４，２０５には細断後の第１及び第２の目視用の細断チップ２１０，２２０が表示されているが、例えば図６（ａ）（ｂ）に示すように、細断前の用紙Ｓに印字されている文字２３０と、対応するシュレッダ２０（Ａ〜Ｃ）の細断チップ領域Ｒ（Ｒ１〜Ｒ３）とが含まれる細断前情報２４０を表示するようにすれば、細断前情報２４０と細断後情報である第１、第２の目視用の細断チップ２１０，２２０とを対比することが可能になる点で、細断処理情報がより理解し易くなる。
特に、本実施の形態では、細断前情報２４０についても、原寸で表示する原寸表示部２４１と、例えば３倍に拡大して表示する拡大表示部２４２とを併記しているため、細断前情報２４０についても、原寸大イメージを把握することができると共に、拡大イメージにて細断チップ領域Ｒ（Ｒ１〜Ｒ３）を把握することができる。
更に、本例において、シュレッダ２０（Ａ〜Ｃ）の細断チップ領域Ｒ（Ｒ１〜Ｒ３）について、対応するシュレッダ２０（Ａ〜Ｃ）を表示するようにすれば、シュレッダ２０（Ａ〜Ｃ）を選定する上での利便性を更に高めることが可能である。
尚、本実施の形態では、二つのチップイメージ表示欄２０４，２０５を設けているが、これに限られるものではなく、例えば一つのチップイメージ表示欄２０４だけでもよいし、あるいは、三以上のチップイメージ表示欄を設けるようにしてもよい。
【００２６】
◎実施の形態２
図７は実施の形態２に係るシュレッダの要部を示す。
同図において、シュレッダの基本的構成は、実施の形態１と略同様であるが、実施の形態１と異なる細断機構２４及び駆動装置５０を備えている。尚、実施の形態１と同様な要素については実施の形態１と同様な符号を付してここではその詳細な説明を省略する。
本例において、細断機構２４は、用紙Ｓを短冊状に細断する第１のカッタ要素２５と、第１のカッタ要素２５で細断された短冊状の細断片を所定のピッチでチップ状に切断する第２のカッタ要素２６と、を有している。
ここで、第１のカッタ要素２５は所謂ストレートカッタと称するものであって、一対のロールカッタ２５１，２５２からなり、回転軸２５３の軸方向に予め決められたピッチｐ（ｗ）で等間隔に円板状の切断刃２５４を取り付けたもので、各切断刃２５４を相互に噛合配置するようにしたものである。
また、第２のカッタ要素２６は、回転軸２６２の周囲に螺旋状の刃２６３を予め決められたピッチ（ｈ）の間隔で複数有するスパイラルカッタ２６１と、このスパイラルカッタ２６１に対向して固定配置されるフラットカッタ２６４と、を有するものである。
更に、駆動装置５０は、第１のカッタ要素２５を駆動する第１の駆動系５５と、この第１の駆動系５５とは別個独立に第２のカッタ要素２６を駆動する第２の駆動系５６とを備えている。本例では、第１の駆動系５５、第２の駆動系５６には独立の駆動モータが設けられ、特に、第２の駆動系５６の駆動モータについては回転速度を複数選定し得るようになっている。
更に、本実施の形態では、制御装置１００は、操作パネル６０からの操作信号、搬入経路２３に用紙Ｓが搬入されたか否かを検出する位置センサ２８からの信号などを入出力ポートを介して受け取り、ＣＰＵ、ＲＡＭによってＲＯＭ内に予めインストールされている細断制御プログラム（図８参照）を実行し、入出力ポートを介して細断機構２４の駆動装置５０に対し所定の制御信号を送出するようになっている。
また、本例では、操作パネル６０のモード選択スイッチ６２は、細断機構２４による細断チップＳａの細断寸法を切替指定する細断モードスイッチを含んでおり、この細断モードスイッチは、細断モードとして、標準の細断寸法である標準モードと、この標準モードよりも細かい細断寸法である精細モードとを選択するようになっている。
【００２７】
次に、本実施の形態に係るシュレッダの細断制御処理を図７及び図８に示すフローチャートに従って説明する。
先ず、制御装置１００は、操作パネル６０のスタートスイッチ６１がオン操作されたことを判断した後、モード選択スイッチ６２による操作信号の有無に基づいて細断モードが‘精細モード’であるか否かを判断する。
そして、制御装置１００は細断モードが‘標準モード’であると認識すると、細断機構２４の駆動装置５０に対し‘標準モード’の駆動条件を設定する。具体的には、第１の駆動系５５の駆動モータの駆動速度を予め決められた速度に選定することで第１のカッタ要素２５の回転速度をｖ１に設定すると共に、第２の駆動系５６の駆動モータの駆動速度を予め決められた速度に選定することで第２のカッタ要素２６の回転速度をｖ２１に設定する。
一方、制御装置１００は細断モードが‘精細モード’であると認識すると、細断機構２４の駆動装置５０に対し‘精細モード’の駆動条件を設定する。具体的には、第１の駆動系５５の駆動モータの駆動速度を予め決められた速度に選定することで第１のカッタ要素２５の回転速度をｖ１に設定すると共に、第２の駆動系５６の駆動モータの駆動速度を標準モード時の速度よりも速い速度に選定することで第２のカッタ要素２６の回転速度をｖ２２（ｖ２２＞ｖ２１）に設定する。
この状態において、シュレッダ筐体２１の投入口２２に用紙Ｓが投入されると、当該用紙Ｓは搬入経路２３に沿って細断機構２４に向かって移動する。このとき、位置センサ２８は用紙Ｓが通過したことを検出すると、位置センサ２８による検出信号が制御装置１００に取り込まれ、これに連動して、第１の駆動系５５及び第２の駆動系５６が‘標準モード’又は‘精細モード’の駆動条件に従って細断機構２４の第１のカッタ要素２５及び第２のカッタ要素２６を駆動する。
【００２８】
先ず、‘標準モード’では、駆動装置５０の第１の駆動系５５による第１のカッタ要素２５は回転速度ｖ１で回転し、第２の駆動系５６による第２のカッタ要素２６は回転速度ｖ２１で回転することから、図８及び図９に示すように、用紙Ｓが第１のカッタ要素２５を通過すると、用紙Ｓは当該用紙Ｓの搬入方向に沿う方向に延び且つ第１のカッタ要素２５の細断ピッチｐ（ｗ）に対応した幅寸法ｗの短冊状の細断短冊片Ｓｔとして細断される。
そして、この細断短冊片Ｓｔが第２のカッタ要素２６（回転速度ｖ２１）を通過すると、各細断短冊片Ｓｔは、用紙Ｓの搬入方向に沿う方向に対して第２のカッタ要素２６の細断ピッチｐ（ｈ）と回転速度ｖ２１との組み合わせに対応した長さ寸法ｈ１の細断チップＳａとして細断される。
一方、‘精細モード’では、駆動装置５０の第１の駆動系５５による第１のカッタ要素２５は回転速度ｖ１で回転し、第２の駆動系５６による第２のカッタ要素２６は回転速度ｖ２２（ｖ２２＞２１）で回転することから、図８及び図９に示すように、用紙Ｓが第１のカッタ要素２５を通過するときは、‘標準モード’と同様に、用紙Ｓは当該用紙Ｓの搬入方向に沿う方向に延び且つ第１のカッタ要素２５の細断ピッチｐ（ｗ）に対応した幅寸法ｗの短冊状の細断短冊片Ｓｔとして細断される。
そして、この細断短冊片Ｓｔが第２のカッタ要素２６（回転速度ｖ２２）を通過すると、各細断短冊片Ｓｔは、用紙Ｓの搬入方向に沿う方向に対して第２のカッタ要素２６の細断ピッチｐ（ｈ）と回転速度ｖ２２との組み合わせに対応した長さ寸法ｈ２（ｈ２＜ｈ１）の‘標準モード’よりも細かい細断チップとして細断される。
【００２９】
更に、本例では、このような細断モードの指定処理を行うに当たり、‘標準モード’又は‘精細モード’がどの程度の細断内容であるかを事前に確認することが可能である。
例えば図１０に示すように、モード選択スイッチ６２の一要素として細断チップ表示モード６２１を付加し、‘標準モード’又は‘精細モード’時の細断チップをイメージ表示するようにすればよい。
本例においては、例えば実施の形態１と同様に、標準モード時における目視用の細断チップ２５０として、例えばフォント種Ｆａ、フォントサイズｍの文字を印字した用紙を標準モードの細断寸法（ｗ×ｈ１）で細断したチップイメージを作成し、また、精細モード時における目視用の細断チップ２６０として、例えばフォント種Ｆａ、フォントサイズｍの文字を印字した用紙を精細モードの細断寸法（ｗ×ｈ２）で細断したチップイメージを作成し、操作パネル６０の表示器６３に表示するようにすればよい。
ここで、目視用の細断チップ２５０，２６０の表示器６３への表示形式については、例えば原寸表示部２７１と、拡大表示部２７２とを併記して表示するなど適宜選定して差し支えない。
【００３０】
◎実施の形態３
実施の形態３に係るシュレッダの性能評価表示物はユーザがシュレッダの細断性能を評価する上でシュレッダの細断性能を体感することを企図した性能評価ツールである。
本例では、性能評価ツール３００は、図１１乃至図１４に示すように、実寸細断チップ模型３１０と、拡大細断チップ模型３２０とを含んでいる。
＜実寸細断チップ模型＞
ここで、先ず、実寸細断チップ模型３１０について説明すると、今、図１１に示すように、被細断物としての用紙見本ＳＰには例えばフォントサイズｍの文字２３０（例えば数字、アルファベット、ひらがな、漢字、カタカナ等）が所定のピッチで印字されている。本例では、用紙見本ＳＰのＵで囲まれる区画領域にはフォントサイズｍ（例えば１０．５ポイント）の文字２３０が所定数（本例では１０個程度）配列されている態様が示されている。
このような用紙見本ＳＰを予め決められた細断サイズで細断し、実寸サイズで模型化することにより、実寸細断チップ模型３１０が作成されるようになっている。
本例では、実寸細断チップ模型３１０としては、例えばＩ−Ｘ型（非精細型）として、幅寸法ｗｘ×長さ寸法ｄｘ（例えば６×１４ｍｍ）の矩形状の模型小片群３１１が作成され、また、例えばＩ−Ｙ型（精細型）として、幅寸法ｗｙ×長さ寸法ｄｙ（例えば０．７×３．５ｍｍ）の矩形状の模型小片群３１２が作成されている。
そして、これらの模型小片群３１１，３１２はそれ自体が細かいものであることから、例えば透明な袋などの入れ物３１３に予め収納されている。尚、この種の入れ物３１３は開閉可能にしておけば、収納されている模型小片群３１１，３１２を必要に応じて取り出して触れることが可能である。
【００３１】
＜拡大細断チップ模型＞
次に、拡大細断チップ模型３２０について説明する。
今、図１２に示すように、被細断物としての用紙見本ＳＰには例えばフォントサイズｍの文字２３０（例えば数字、アルファベット、ひらがな、漢字、カタカナ等）が印字されている。
ここで、拡大細断チップ模型３２０を作成するに当たり、被細断物としての用紙見本ＳＰの文字２３０の縦横寸法を縦横同率でα倍（本例では８倍）拡大した被細断物模型としての拡大用紙見本ＳＰｍを作成し、図１３（ａ）〜（ｃ）に示すように、この拡大用紙見本ＳＰｍを予め決められた細断サイズの縦横同率でα倍拡大した倍率サイズで細断し、拡大サイズで模型化することにより、拡大細断チップ模型３２０が作成されるようになっている。尚、拡大倍率αは本例では８倍であるが、この倍率に限定されるものでないことは勿論である。
本例では、拡大細断チップ模型３２０としては、図１３（ｂ）に示すように、例えばＩＩ−Ｘ型（非精細型）として、拡大幅寸法＜α×ｗｘ＞×拡大長さ寸法＜α×ｄｘ＞（例えば４８×１１４ｍｍ）の矩形状の模型小片群３２１が作成され、また、図１３（ｃ）に示すように、例えばＩＩ−Ｙ型（精細型）として、拡大幅寸法＜α×ｗｙ＞×拡大長さ寸法＜α×ｄｙ＞（例えば５．６×２８ｍｍ）の矩形状の模型小片群３２２が作成されている。
本例において、非精細型（ＩＩ−Ｘ型）の模型小片群３２１は、例えば図１３（ｂ）に示すように、図１３（ａ）に示す細断領域Ｚに対して２列（本例ではＡ列，Ｂ列）×２行で区画した４個のピース（具体的にはＡ１，Ａ２，Ｂ１，Ｂ２）にて構成されている。
一方、精細型（ＩＩ−Ｙ型）の模型小片群３２２は、例えば図１３（ｃ）に示すように、図１３（ａ）に示す細断領域Ｚに対して４列（Ｃ列，Ｄ列，Ｅ列，Ｆ列）×ｎ行（本例では例えば３４行）で区画した１３６個のピース（具体的には、Ｃ１〜Ｃ３４，Ｄ１〜Ｄ３４，Ｅ１〜Ｅ３４，Ｆ１〜Ｆ３４）にて構成されている。
これらの拡大細断チップ模型３２０である非精細型の模型小片群３２１や精細型の模型小片群３２２は例えば図示外の専用ケースに持ち運び可能に収納されている。
【００３２】
次に、拡大細断チップ模型３２０の使用方法について説明する。
例えばシュレッダの販売者は、シュレッダを購入しようとするユーザがシュレッダの細断性能としてどの程度を希望しているかを把握することが重要である。
このとき、例えば所定のフォントサイズｍの文字２３０が印字された用紙見本ＳＰと、これを実際に細断した実寸細断チップ模型３１０（模型小片群３１１，３１２）とをユーザに示すと、ユーザはこの用紙見本ＳＰをこの細断サイズで細断すると、このように細断されるという状況を把握することができる。
しかしながら、実寸細断チップ模型３１０である模型小片群３１１，３１２を目視したとしても、実寸サイズの非精細型の模型小片群３１１は６×１４ｍｍのピース、精細型の模型小片群３１２は０．７×３．５ｍｍのピースであるため、これらのピースを組合せることで情報が復元されてしまう懸念があるか否かは一見してはわかり難い。
そこで、本実施の形態では、拡大細断チップ模型３２０を使用することで、ユーザにシュレッダの細断性能の良否が情報漏洩に大きく影響することを体感してもらうことを可能としたものである。
【００３３】
つまり、本実施の形態では、例えば拡大細断チップ模型３２０の非精細型の模型小片群３２１（本例では４ピース）によれば、例えば図１４（ａ）に示すように、Ａ１とＢ１とのピースを並べて組合せ配置することにより、拡大用紙見本ＳＰｍに印字されている「１２３４」、「ＡｂＣｄ」、「あいうえ」の文字情報が復元されてしまうことが理解され、この種の組合せについては４個のピースから２個の組合せを見出せばよいのであるから、比較的容易であることが体験を通じて理解される。
これに対し、拡大細断チップ模型３２０の精細型の模型小片群３２２（本例では１３６ピース）によれば、例えば図１４（ｂ）に示すように、２行目の「Ｃ２〜Ｆ２」の４ピース、３行目の「Ｃ３〜Ｆ３」の４ピース、４行目の「Ｃ４〜Ｆ４」の４ピースの合計１２個のピースを順に並べて組合せ配置することにより、拡大用紙見本ＳＰｍに印字されている「１２３４」の文字情報が復元されてしまう可能性はあるが、この種の組合せについては、１３６個のピースから１２個の組合せを見出さなくてはならず、大変困難であることが体験を通じて理解される。
このため、ユーザは、シュレッダの細断性能を評価するに当たり、細断屑からの復元性に対するセキュリティを重視するというニーズがある場合には、精細型の模型小片群３２２に対応した細断性能のシュレッダを選定するようにすればよい。また、シュレッダの細断性能として、精細型の模型小片群３２２に対応した細断性能までは必要がなく、高速細断を優先するというニーズである場合には、非精細型の模型小片群３２１に対応した細断性能のシュレッダ、あるいは、精細型の模型小片群３２２に対応した細断性能よりも細断サイズが大きい細断性能のシュレッダを選定するようにすればよい。
【００３４】
尚、本実施の形態では、拡大細断チップ模型３２０としては、非精細型を１種類、精細型を１種類作成するようにしているが、シュレッダの細断性能に応じて３種類以上作成してユーザに対する利便性を更に高めるようにしてもよいことは勿論である。
更に、本実施の形態では、拡大細断チップ模型３２０を細断チップの縦横同率で拡大した態様としているが、これに限られるものではなく、縦横ほぼ同率で拡大してもよいし、あるいは、縦横の拡大倍率を異なるように選定する等適宜設計変更して差し支えない。
また、この種の性能評価ツール３００（実寸細断チップ模型３１０、拡大細断チップ模型３２０）を用いた実演についての映像を例えばシュレッダの製造者、販売者がｗｅｂ上にアップロードし、ネットワークを経由してユーザに体感するようにしてもよいことは勿論である。
【符号の説明】
【００３５】
１…被細断物，２…目視用の細断チップ，３…文字，５…性能評価表示物，ｍ（ｍ１，ｍ２）…フォントサイズ，Ａ〜Ｃ…シュレッダ
【要約】
【課題】シュレッダの細断性能をユーザが直接目視する形で評価可能とする。
【解決手段】シュレッダの性能評価方法は、シュレッダの細断性能を評価するに際し、選定されたフォントサイズｍの文字３で記録された被細断物１を当該シュレッダの性能に応じた細断寸法に細断することで目視用の細断チップ２を作成し、当該目視用の細断チップ２を文字３のフォントサイズｍと共に表示する。シュレッダの細断性能を評価する性能評価表示物５は、選定されたフォントサイズｍの文字３で記録された被細断物１を当該シュレッダの性能に応じた細断寸法に細断することで作成される目視用の細断チップ２と、当該目視用の細断チップ２の文字３のフォントサイズｍと、を関連付けて表示するものである。
【選択図】図１【図１】
0005809373.tif 000002
【図２】
0005809373.tif 000003
【図３】
0005809373.tif 000004
【図４】
0005809373.tif 000005
【図５】
0005809373.tif 000006
【図６】
0005809373.tif 000007
【図７】
0005809373.tif 000008
【図８】
0005809373.tif 000009
【図９】
0005809373.tif 000010
【図１０】
0005809373.tif 000011
【図１１】
0005809373.tif 000012
【図１２】
0005809373.tif 000013
【図１３】
0005809373.tif 000014
【図１４】
0005809373.tif 000015